(57)【要約】【課題】取り回しがしやすい充電式の電気掃除機を提供する。【解決手段】電気掃除機２は、吸引風を発生させるファンモーター４と、ファンモーター４を駆動する電力を供給する蓄電池５と、ファンモーター４及び蓄電池５を収納する本体ケース９と、吸引した空気及び塵埃を移送するダクト部６と、ダクト部６の下流側で空気及び塵埃を分離する塵埃分離部７と、ダクト部６の長手方向に直線的に延びるハンドル部８と、被清掃面より塵埃を吸引する吸口体２ｂと、吸口体２ｂとダクト部６とを接続するパイプ２ｃと、を備え、ダクト部６の長手方向についての位置に関して、蓄電池５の位置とハンドル部８の位置とが重なる部分を有するか、または、蓄電池５の位置がハンドル部８の位置に比べてダクト部６の先端から遠い位置であるものである。【選択図】図１
2016129564.tif 000002
【特許請求の範囲】
【請求項１】
吸引風を発生させるファンモーターと、
前記ファンモーターを駆動する電力を供給する蓄電池と、
前記ファンモーター及び前記蓄電池を収納する本体ケースと、
吸引した空気及び塵埃を移送するダクト部と、
前記ダクト部の下流側で空気及び塵埃を分離する塵埃分離部と、
前記ダクト部の長手方向に直線的に延びるハンドル部と、
被清掃面より塵埃を吸引する吸口体と、
前記吸口体と前記ダクト部とを接続するパイプと、
を備える電気掃除機であって、
前記ダクト部の長手方向についての位置に関して、前記蓄電池の位置と前記ハンドル部の位置とが重なる部分を有するか、または、前記蓄電池の位置が前記ハンドル部の位置に比べて前記ダクト部の先端から遠い位置である電気掃除機。
【請求項２】
前記ダクト部を被清掃面に対し傾斜させて前記電気掃除機を使用する状態を側面から見たときに、前記ダクト部の中心軸またはその延長線と前記被清掃面とが形成する鋭角の範囲に前記ファンモーター及び前記塵埃分離部が存在する請求項１に記載の電気掃除機。
【請求項３】
前記ダクト部の先端側から基端側に向かって、前記塵埃分離部、前記ファンモーター、及び前記蓄電池がこの順に並んで配置され、
前記ダクト部の長手方向に平行な方向から見たときに、前記塵埃分離部の投影領域に前記ファンモーター及び前記蓄電池が収まる前記請求項１または請求項２に記載の電気掃除機。
【請求項４】
前記ダクト部及び前記ハンドル部が一直線上に配置される請求項１から請求項３のいずれか一項に記載の電気掃除機。
【請求項５】
前記本体ケースの外形が柱状であり、
前記本体ケースの外形の中心軸は、前記ダクト部の長手方向に対し平行である請求項１から請求項４のいずれか一項に記載の電気掃除機。
【請求項６】
前記塵埃分離部は、空気及び塵埃を旋回させることで塵埃を分離するサイクロン式のものであり、
前記塵埃分離部の外形の中心軸と、前記本体ケースの外形の中心軸とが一直線上になる請求項５に記載の電気掃除機。
【発明の詳細な説明】
【技術分野】
【０００１】
本発明は、電気掃除機に関する。
【背景技術】
【０００２】
蓄電池で動くコードレスのスティック型電気掃除機（以下、「コードレススティッククリーナー」と称する）が広く用いられている。下記特許文献１に開示された従来のコードレススティッククリーナーは、重量物であるファンモーター及び蓄電池がハンドル部から遠い位置（吸口体に近い位置）に配置されている。
【先行技術文献】
【特許文献】
【０００３】
【特許文献１】特開２００６−９５２１０号公報
【発明の概要】
【発明が解決しようとする課題】
【０００４】
特許文献１のコードレススティッククリーナーは、重心の位置が、吸口体に近く、ハンドル部から遠い。このため、ハンドル部を支点として先端の吸口体を被清掃面から回転するように持ち上げるとき、ハンドル部を握る手に強い力を込める必要があり、取り回しがしにくい。
【０００５】
本発明は、上述のような課題を解決するためになされたもので、取り回しがしやすい充電式の電気掃除機を提供することを目的とする。
【課題を解決するための手段】
【０００６】
本発明に係る電気掃除機は、吸引風を発生させるファンモーターと、ファンモーターを駆動する電力を供給する蓄電池と、ファンモーター及び蓄電池を収納する本体ケースと、吸引した空気及び塵埃を移送するダクト部と、ダクト部の下流側で空気及び塵埃を分離する塵埃分離部と、ダクト部の長手方向に直線的に延びるハンドル部と、被清掃面より塵埃を吸引する吸口体と、吸口体とダクト部とを接続するパイプと、を備える電気掃除機であって、ダクト部の長手方向についての位置に関して、蓄電池の位置とハンドル部の位置とが重なる部分を有するか、または、蓄電池の位置がハンドル部の位置に比べてダクト部の先端から遠い位置であるものである。
【発明の効果】
【０００７】
本発明の電気掃除機によれば、ダクト部の長手方向についての位置に関して、蓄電池の位置とハンドル部の位置とが重なる部分を有するか、または、蓄電池の位置がハンドル部の位置に比べてダクト部の先端から遠い位置にすることで、被清掃面から吸口体を持ち上げる動作が容易になり、取り回しがしやすい。
【図面の簡単な説明】
【０００８】
【図１】本発明の実施の形態１の電気掃除機を示す斜視図である。
【図２】図１に示す電気掃除機の掃除機本体の断面側面図である。
【発明を実施するための形態】
【０００９】
以下、図面を参照して本発明の実施の形態について説明する。なお、各図において共通する要素には、同一の符号を付して、重複する説明を省略する。
【００１０】
実施の形態１．
図１は、本発明の実施の形態１の電気掃除機を示す斜視図である。図２は、図１に示す電気掃除機の掃除機本体の断面側面図である。図１に示すように、本実施の形態１の電気掃除機２は、掃除機本体２ａと、被清掃面（床、絨毯、畳等）より塵埃を吸引する吸口体２ｂと、掃除機本体２ａと吸口体２ｂとを接続するパイプ２ｃ（延長管）とを備える。電気掃除機２は、充電式（コードレス）のスティック型の電気掃除機である。掃除機本体２ａは、吸引風を発生させるファンモーター４と、ファンモーター４を駆動する電力を供給する蓄電池５と、吸引した空気及び塵埃を移送するダクト部６と、ダクト部６の下流側で空気及び塵埃を分離する塵埃分離部７と、手で持つためのハンドル部８と、ファンモーター４及び蓄電池５を覆う本体ケース９とを備える。ファンモーター４及び蓄電池５は、本体ケース９の内部に収納され、外観からは見えない。ダクト部６の形状は、直線的に延びる筒状である。吸口体２ｂには、回転する回転ブラシ（図示省略）が備えられている。パイプ２ｃの形状は、直線的に延びる筒状である。パイプ２ｃは、掃除機本体２ａのダクト部６の先端部と、吸口体２ｂとを接続する。パイプ２ｃは、ダクト部６の先端部に、着脱可能に連結される。パイプ２ｃをダクト部６に連結した状態で、パイプ２ｃ及びダクト部６は、一直線上に並ぶ。電気掃除機２は、吸口体２ｂとパイプ２ｃとの間に、関節部２ｄを有する。関節部２ｄにより、パイプ２ｃに対する吸口体２ｂの傾斜角度及び回転位置が可変になる。
【００１１】
以下の説明では、ダクト部６の先端側を掃除機本体２ａの前として定義する。ダクト部６の先端側と反対側（基端側）を掃除機本体２ａの後ろとして定義する。ファンモーター４、蓄電池５及び塵埃分離部７を含む部分を掃除機本体２ａの主要部分として定義する。また、吸口体２ｂ側を電気掃除機２の前として定義し、その反対側を電気掃除機２の後ろとして定義する。ダクト部６は、掃除機本体２ａの主要部分の前端の位置よりも前方へ突出するダクト突出部分６ａを有する。パイプ２ｃをダクト部６から取り外し、掃除機本体２ａのみで使用することもできる。すなわち、ダクト突出部分６ａの先端を被清掃面に近づけ、空気及び塵埃をダクト突出部分６ａの先端から直接吸引することもできる。ダクト突出部分６ａの先端に、例えば毛ブラシ（図示省略）のような吸口を取り付けて使用することもできる。
【００１２】
掃除機本体２ａの主要部分の外形は、円柱状である。塵埃分離部７の外形と、本体ケース９の外形とにより、掃除機本体２ａの主要部分の外形が形成される。塵埃分離部７の外形は、円柱状である。本体ケース９の外形は、円柱状である。塵埃分離部７の外形が呈する円柱状の直径と、本体ケース９の外形が呈する円柱状の直径とは、ほぼ等しい。以下の説明では、中心軸または長手方向に垂直な断面を「横断面」と称する。塵埃分離部７の横断面の外形と、本体ケース９の横断面の外形とは、大部分においてほぼ等しい形状（円形）である。塵埃分離部７の中心軸及び本体ケース９の中心軸は、ダクト部６の長手方向に対し平行である。塵埃分離部７の外形の中心軸と、本体ケース９の外形の中心軸とが一直線上になる。これにより、掃除機本体２ａの主要部分の太さをなるべく細くすることが可能となり、意匠性を向上できる。本体ケース９は、塵埃と分離された後の清浄な空気を掃除機本体２ａの外部へ排出する排気口９ａ、及びダクト部６により移送された空気及び塵埃を塵埃分離部７へ導入する導入口９ｂを有する。排気口９ａは、本体ケース９の外周面に形成される。排気口９ａは、ファンモーター４が収納された部分の本体ケース９の周方向に沿って、帯状に配置される。排気口９ａは、蓄電池５が収納された部分の前側に形成される。
【００１３】
ハンドル部８は、手で握ることのできる部分である。ハンドル部８の外形は、柱状である。ハンドル部８は、掃除機本体２ａの後部にある。ハンドル部８は、ダクト部６の長手方向に直線的に延びる。ハンドル部８は、ダクト部６を後方へ延長した仮想の延長線上に配置される。ハンドル部８は、ダクト部６と一直線上に並ぶ。これにより、意匠性を向上できる。
【００１４】
掃除機本体２ａは、充電スタンド（図示省略）により保持される被保持部１０を有する。被保持部１０には、充電端子１０ａが設けられる。充電端子１０ａは、充電スタンド側の充電端子に接触する。充電端子１０ａから、掃除機本体２ａ内に配設されるリード線（図示省略）を介して、蓄電池５へ給電可能である。被保持部１０は、掃除機本体２ａのダクト部６側に位置する。被保持部１０は、ダクト部６の外周面から突出するように配置される。被保持部１０は、掃除機本体２ａの主要部分の前側に位置する。
【００１５】
掃除機本体２ａは、テーパー状の外形のテーパー形状部７ａを有する。テーパー形状部７ａは、掃除機本体２ａの主要部分の前部に形成される。テーパー形状部７ａの外径は、掃除機本体２ａの前方へ向かって漸減する。テーパー形状部７ａは、塵埃分離部７の一部として形成される。
【００１６】
図２に示すように、塵埃分離部７は、吸引された空気及び塵埃を旋回させることで塵埃を分離する旋回室を有するサイクロン式のものである。ダクト部６の下流側は、塵埃分離部７の旋回室に連通する。サイクロン式の塵埃分離部７は、機能上の必要性から、その外形が円柱状になる。掃除機本体２ａの本体ケース９の外形を、塵埃分離部７の外形に合わせた円柱状としたことで、優れた意匠性が得られる。ファンモーター４の回転軸は、本体ケース９の中心軸に一致する。一般に、ファンモーター４の外形は、回転体形状になる。回転体形状のファンモーター４を収納する本体ケース９の外形を円柱状にすることで、本体ケース９内にデッドスペースが形成されることを抑制でき、本体ケース９の太さを細くできる。本発明において、塵埃分離部７は、サイクロン式に限らず、紙パック式のものなどでも良い。
【００１７】
掃除機本体２ａの前から後ろに向かって（ダクト部６の先端側から基端側に向かって）、塵埃分離部７、ファンモーター４、及び蓄電池５がこの順に並んで配置される。このような配置により、以下の効果が得られる。掃除機本体２ａの前部に塵埃分離部７があるので、ダクト部６から塵埃分離部７への風路を短距離かつ単純に構成できる。塵埃分離部７とファンモーター４とが隣接することで、ファンモーター４が発生する吸引風を塵埃分離部７に直接作用させることができる。これらのことから、吸引風の風路を短距離かつ単純に構成できるので、掃除機本体２ａの主要部分の太さをなるべく細くすることが可能となる。また、ダクト部６の長手方向に平行な方向から見たときに、塵埃分離部７の投影領域にファンモーター４及び蓄電池５が収まる。このことで、掃除機本体２ａの主要部分の太さをなるべく細くすることが可能となる。
【００１８】
ダクト部６の長手方向についての位置に関して、蓄電池５の占める位置ＰＢと、ハンドル部８の占める位置ＰＨとが重なる部分を有する。ハンドル部８と、重量物である蓄電池５との位置関係をこのようにすることで、電気掃除機２の重心の位置を後方寄りにできる。電気掃除機２の重心の位置を後方寄りにすることで、被清掃面から吸口体２ｂを持ち上げるときにハンドル部８に加えなければならない力を軽減できる。よって、電気掃除機２の取り回しがしやすい。
【００１９】
本実施の形態１では、ダクト部６の長手方向についての位置に関して、蓄電池５の位置ＰＢの全体が、ハンドル部８の位置ＰＨに包含される。本発明では、ダクト部６の長手方向についての位置に関して、蓄電池５の位置ＰＢの少なくとも一部が、ハンドル部８の位置ＰＨと重なればよい。あるいは、ダクト部６の長手方向についての位置に関して、蓄電池５の位置ＰＢがハンドル部８の位置ＰＨに比べてダクト部６の先端から遠い位置になるようにしても良い。蓄電池５の位置ＰＢがハンドル部８の位置ＰＨに比べてダクト部６の先端から遠い位置になる場合には、ダクト部６の長手方向についての位置に関して、蓄電池５の位置ＰＢがハンドル部８の位置ＰＨに重ならなくても良い。以上のような構成の場合にも、電気掃除機２の重心の位置を後方寄りにでき、上述した効果と同様の効果が得られる。
【００２０】
ハンドル部８は、ダクト部６の長手方向に直線的に延びる形状を有する。ダクト部６を床等の被清掃面に対して傾斜させて電気掃除機２を使用するとき（図１のような姿勢で使用するとき）、ハンドル部８もダクト部６と同方向に傾斜する。このとき、ハンドル部８を持つ手は、手首が小指側に曲がった状態になる。被清掃面から吸口体２ｂを持ち上げるときには、小指側に曲がった手首を元に戻す動作をすることで、吸口体２ｂを容易に持ち上げることができる。仮に、ハンドル部８の長手方向がダクト部６の長手方向に対して垂直方向または垂直に近い方向だった場合には、ダクト部６を床等の被清掃面に対して傾斜させて電気掃除機２を使用するとき、手首がほとんど曲がっていない状態になる。この状態で、被清掃面から吸口体２ｂを持ち上げるには、手首を親指側に曲げる動作が必要になる。手首は、その構造上、小指側に曲げられる角度に比べて、親指側に曲げられる角度が小さい。このようなことから、ハンドル部８の長手方向がダクト部６の長手方向に対して垂直方向または垂直に近い方向だったと仮定すると、手首を使って被清掃面から吸口体２ｂを持ち上げる動作がしづらい。
【００２１】
ダクト部６を床等の被清掃面に対し傾斜させて電気掃除機２または掃除機本体２ａを使用する状態を側面から見たときに、ダクト部６の中心軸またはその延長線と、床等の被清掃面とが形成する鋭角の範囲に、ファンモーター４及び塵埃分離部７が存在する。要するに、電気掃除機２または掃除機本体２ａを通常に使用する姿勢のときに、ファンモーター４及び塵埃分離部７は、ダクト部６の中心軸またはその延長線の下側に位置する。このような構成により、以下の効果がある。ファンモーター４及び塵埃分離部７の位置は、使用者が被清掃面を目視する視線の邪魔になりにくい。使用者が被清掃面を見やすく、清掃作業がしやすい。特に、パイプ２ｃをダクト部６から取り外し、ダクト突出部分６ａの先端を被清掃面に近づけて使用するときでも、使用者が被清掃面を見やすく、清掃作業がしやすい。
【００２２】
本実施の形態１では、掃除機本体２ａの主要部分（塵埃分離部７及び本体ケース９）の外形を円柱状としたが、これらの外形を円柱状以外の柱状（例えば、三角柱状、四角柱状、五角柱状、六角柱状、八角柱状などの多角柱状または正多角柱状など）にしても良いし、柱状以外の形状にしても良い。
【符号の説明】
【００２３】
２  電気掃除機、２ａ  掃除機本体、２ｂ  吸口体、２ｃ  パイプ、２ｄ  関節部、４  ファンモーター、５  蓄電池、６  ダクト部、６ａ  ダクト突出部分、７  塵埃分離部、７ａ  テーパー形状部、８  ハンドル部、９  本体ケース、９ａ  排気口、９ｂ  導入口、１０  被保持部、１０ａ  充電端子
【図１】
2016129564.tif 000003
【図２】
2016129564.tif 000004